(57)【要約】【課題】画像形成装置から移動通信端末に対してジョブの完了を通知する場合に，ユーザの事前の手間を少なくし，通知を受信した移動通信端末のユーザが画像形成装置を利用し易い技術を提供すること。【解決手段】ＭＦＰ２００は，画像形成中に，移動通信端末１００をかざされると，当該移動通信端末１００からＷｉＦｉ接続の確立に必要な接続情報を受信する。ＭＦＰ２００は，画像形成が終了すると，ＷｉＦｉ経由で完了通知を移動通信端末１００に送信する。ＭＦＰ２００は，完了通知を送信した後，コピージョブの実行命令を受け付けると，コピージョブを実行する。ＭＦＰ２００は，移動通信端末１００を検出した受付時刻より後であって，コピージョブの実行命令を受け付けるまでの間に受信したジョブを，待機状態にする。よって，コピージョブは，受付時刻後に受信したジョブより優先して実行される。【選択図】図５
2018122489.tif 000002
【特許請求の範囲】
【請求項１】
第１の通信方式に従う近距離通信である第１の通信を移動通信端末との間で行う第１通信部と，
前記第１の通信方式とは異なる第２の通信方式に従う通信である第２の通信を行う第２通信部と，
画像形成を行う画像形成部と，
入力操作を受け付ける操作部と，
制御部と，
を備え，
前記制御部は，
前記画像形成部に画像形成を行わせるジョブを実行させている間，前記第１通信部を制御して，前記第１通信部の通信範囲内にある移動通信端末を検出させる検出処理と，
前記検出処理にて移動通信端末が検出された場合に，ジョブの完了を通知する通知機能を有効とする通知設定処理と，
前記検出処理にて移動通信端末が検出された場合に，前記第１通信部を制御して，前記検出処理にて検出された移動通信端末が有する電子メールアドレスと，当該移動通信端末との前記第２の通信の確立に用いる接続情報と，の少なくとも一方を含む通信情報を受信する通信情報受信処理と，
前記検出処理にて移動通信端末が検出された際に前記画像形成部により実行されていたジョブが完了した場合に，前記通知機能が有効か否かを判断する判断処理と，
前記判断処理にて前記通知機能が有効と判断した場合に，前記通信情報を用いて，前記第２通信部を制御して，前記ジョブの完了通知を前記検出処理にて検出された移動通信端末へ送信させる通知処理と，
前記通知処理の後，前記操作部を制御して，前記画像形成部に画像形成を行わせるジョブの実行命令の入力操作を受け付け，前記検出処理にて移動通信端末が検出されてから前記操作部に前記実行命令が入力されるまでの間に，前記操作部への前記実行命令の入力操作以外によって受け付けたジョブがある場合には，その受付済みのジョブを待機させる待機処理と，
前記待機処理中に，前記実行命令の入力操作が受け付けられた場合に，前記実行命令に対応するジョブを開始するジョブ割込処理と，
を実行することを特徴とする画像形成装置。
【請求項２】
請求項１に記載する画像形成装置において，
原稿を読み取る画像読取部を備え，
前記制御部は，
前記待機処理では，前記通知処理の後，前記画像読取部による原稿の読み取りと，読み取った原稿の画像データに基づく前記画像形成部による画像形成と，を行うコピージョブの実行命令を，前記実行命令として前記操作部にて受け付ける，
ことを特徴とする画像形成装置。
【請求項３】
請求項１に記載する画像形成装置において，
前記画像形成部に画像形成を行わせるジョブを待機状態で記憶する記憶部を備え，
前記制御部は，
前記ジョブ割込処理では，前記通知処理の後，前記記憶部に記憶されるジョブの実行命令を，前記実行命令として前記操作部にて受け付けた場合に，前記記憶部に待機状態で記憶するジョブを実行する，
ことを特徴とする画像形成装置。
【請求項４】
請求項１から請求項３のいずれか１つに記載する画像形成装置において，
前記制御部は，
前記完了通知の送信後，前記実行命令の入力操作が受け付けられないまま所定時間が経過した場合に，前記待機処理を終了し，前記検出処理にて移動通信端末が検出されてから前記操作部に前記実行命令が入力されるまでの間に，前記操作部への前記実行命令の入力操作以外によって受け付けたジョブがある場合には，その受付済みのジョブの実行を開始する，
ことを特徴とする画像形成装置。
【請求項５】
請求項１から請求項４のいずれか１つに記載する画像形成装置において，
前記制御部は，
前記ジョブ割込処理によって開始されたジョブが完了した場合に，前記待機処理を終了し，前記検出処理にて移動通信端末が検出されてから前記操作部に前記実行命令が入力されるまでの間に，前記操作部への前記実行命令の入力操作以外によって受け付けたジョブがある場合には，その受付済みのジョブを開始する，
ことを特徴とする画像形成装置。
【請求項６】
請求項１から請求項５のいずれか１つに記載する画像形成装置において，
ネットワークインターフェイスを備え，
前記制御部は，
前記検出処理にて移動通信端末が検出された後，前記操作部への前記実行命令の入力操作を受け付けるまでの間に，前記ネットワークインターフェイスを介して受信したジョブを，前記待機処理によって待機させる前記受付済みのジョブとする，
ことを特徴とする画像形成装置。
【請求項７】
請求項１から請求項６のいずれか１つに記載する画像形成装置において，
前記制御部は，
前記検出処理にて移動通信端末が検出された場合に，検出された時刻を記憶する時刻記憶処理を実行し，
前記判断処理では，前記画像形成部に画像形成を行わせるジョブであって，前記検出処理にて移動通信端末が検出された時刻よりも前に受け付けたジョブが，全て完了した場合に，前記通知機能が有効か否かを判断する，
ことを特徴とする画像形成装置。
【請求項８】
請求項１から請求項７のいずれか１つに記載する画像形成装置において，
前記制御部は，
前記検出処理にて移動通信端末が検出された場合に，前記第１通信部を制御して，ユーザあるいは移動通信端末を識別する識別情報を受信する第１識別受信処理と，
前記待機処理中に，前記第１通信部を制御して，前記第１通信部の通信範囲内にある移動通信端末を検出する通知後検出処理と，
前記通知後検出処理にて移動通信端末が検出された場合に，前記第１通信部を制御して，前記識別情報を受信する第２識別受信処理と，
を実行し，
前記ジョブ割込処理では，前記第１識別受信処理にて受信した識別情報と前記第２識別受信処理にて受信した識別情報とが一致する場合に，前記実行命令に対応するジョブを開始する，
ことを特徴とする画像形成装置。
【請求項９】
請求項１から請求項８のいずれか１つに記載する画像形成装置において，
前記第２通信部は，ネットワークインターフェイスであり，
前記制御部は，
前記通信情報受信処理では，前記通信情報として，前記検出処理にて検出された移動通信端末が有する電子メールアドレスを受信し，
前記通知処理では，前記電子メールアドレスの宛先に前記完了通知を送信する，
ことを特徴とする画像形成装置。
【請求項１０】
請求項１から請求項８のいずれか１つに記載する画像形成装置において，
前記第２通信部は，前記第１の通信の通信範囲よりも広い通信範囲内にある移動通信端末と無線通信を行うインターフェイスであり，
前記制御部は，
前記通信情報受信処理では，前記通信情報として，前記第２の通信を確立させるための接続情報を受信し，
前記通信情報受信処理にて前記接続情報を受信した後，前記第２通信部を制御して，前記検出処理にて検出された移動通信端末との前記第２の通信を確立させ，
前記通知処理では，前記第２通信部を制御して，前記完了通知を送信する，
ことを特徴とする画像形成装置。
【請求項１１】
第１の通信方式に従う近距離通信である第１の通信を移動通信端末との間で行う第１通信部と，
前記第１の通信方式とは異なる第２の通信方式に従う通信である第２の通信を行う第２通信部と，
画像形成を行う画像形成部と，
入力操作を受け付ける操作部と，
を備える画像形成装置の通知方法であって，
前記画像形成部に画像形成を行わせるジョブを実行させている間，前記第１通信部を制御して，前記第１通信部の通信範囲内にある移動通信端末を検出させる検出ステップと，
前記検出ステップにて移動通信端末が検出された場合に，ジョブの完了を通知する通知機能を有効とする通知設定ステップと，
前記検出ステップにて移動通信端末が検出された場合に，前記第１通信部を制御して，前記検出ステップにて検出された移動通信端末が有する電子メールアドレスと，当該移動通信端末との前記第２の通信の確立に用いる接続情報と，の少なくとも一方を含む通信情報を受信する通信情報受信ステップと，
前記検出ステップにて移動通信端末が検出された際に前記画像形成部により実行されていたジョブが完了した場合に，前記通知機能が有効か否かを判断する判断ステップと，
前記判断ステップにて前記通知機能が有効と判断した場合に，前記通信情報を用いて，前記第２通信部を制御して，前記ジョブの完了通知を前記検出ステップにて検出された移動通信端末へ送信させる通知ステップと，
前記通知ステップの後，前記操作部を制御して，前記画像形成部に画像形成を行わせるジョブの実行命令の入力操作を受け付け，前記完了通知を送信してから前記操作部に前記実行命令が入力されるまでの間に，前記操作部への前記実行命令の入力操作以外によって受け付けたジョブがある場合には，その受付済みのジョブを待機させる待機ステップと，
前記待機ステップによるジョブの待機中に，前記実行命令の入力操作が受け付けられた場合に，前記実行命令に対応するジョブを開始するジョブ割込ステップと，
を含むことを特徴とする通知方法。
【発明の詳細な説明】
【技術分野】
【０００１】
本発明は，画像形成装置および通知方法に関する。画像形成装置から移動通信端末に対してジョブの完了を通知する技術に関する。
【背景技術】
【０００２】
従来から，画像形成装置から移動通信端末に対して，ジョブの完了を通知する技術が知られている。例えば，特許文献１には，あらかじめ画像形成装置にユーザＩＤと電子メールアドレスとを登録し，ジョブの完了やエラー情報等の稼働状態を，登録されたメールアドレスを用いて通知する技術が開示されている。
【先行技術文献】
【特許文献】
【０００３】
【特許文献１】特開２００４−２１３０７６号公報
【発明の概要】
【発明が解決しようとする課題】
【０００４】
例えば，ユーザがコピー等の画像形成を伴うジョブを画像形成装置に行わせるために画像形成装置の前に来た際，先に受け付けられたジョブによってその画像形成装置が画像形成を行っていた場合，そのユーザは先に受け付けられたジョブの完了を待つ必要が有る。この場合，特許文献１に開示されている技術のように，画像形成装置から外部機器に対して稼働状況を通知することで，通知を受信した外部機器のユーザは，画像形成装置の前から離れた場所で画像形成装置の利用可否を把握できる。
【０００５】
しかしながら，特許文献１に開示される技術では，あらかじめ画像形成装置にユーザＩＤと電子メールアドレスとを登録する必要が有り，登録の手間がかかる。また，通知を受信してからユーザが画像形成装置の前に来るまでに別のジョブが受け付けられると，結局，ユーザはその別のジョブの完了を待つことになる。
【０００６】
本発明は，前記した従来の技術が有する問題点を解決するためになされたものである。すなわちその課題とするところは，画像形成装置から移動通信端末に対してジョブの完了を通知する場合に，ユーザの事前の手間を少なくし，通知を受信した移動通信端末のユーザが画像形成装置を利用し易い技術を提供することにある。
【課題を解決するための手段】
【０００７】
この課題の解決を目的としてなされた画像形成装置は，第１の通信方式に従う近距離通信である第１の通信を移動通信端末との間で行う第１通信部と，前記第１の通信方式とは異なる第２の通信方式に従う通信である第２の通信を行う第２通信部と，画像形成を行う画像形成部と，入力操作を受け付ける操作部と，制御部と，を備え，前記制御部は，前記画像形成部に画像形成を行わせるジョブを実行させている間，前記第１通信部を制御して，前記第１通信部の通信範囲内にある移動通信端末を検出させる検出処理と，前記検出処理にて移動通信端末が検出された場合に，ジョブの完了を通知する通知機能を有効とする通知設定処理と，前記検出処理にて移動通信端末が検出された場合に，前記第１通信部を制御して，前記検出処理にて検出された移動通信端末が有する電子メールアドレスと，当該移動通信端末との前記第２の通信の確立に用いる接続情報と，の少なくとも一方を含む通信情報を受信する通信情報受信処理と，前記検出処理にて移動通信端末が検出された際に前記画像形成部により実行されていたジョブが完了した場合に，前記通知機能が有効か否かを判断する判断処理と，前記判断処理にて前記通知機能が有効と判断した場合に，前記通信情報を用いて，前記第２通信部を制御して，前記ジョブの完了通知を前記検出処理にて検出された移動通信端末へ送信させる通知処理と，前記通知処理の後，前記操作部を制御して，前記画像形成部に画像形成を行わせるジョブの実行命令の入力操作を受け付け，前記検出処理にて移動通信端末が検出されてから前記操作部に前記実行命令が入力されるまでの間に，前記操作部への前記実行命令の入力操作以外によって受け付けたジョブがある場合には，その受付済みのジョブを待機させる待機処理と，前記待機処理中に，前記実行命令の入力操作が受け付けられた場合に，前記実行命令に対応するジョブを開始するジョブ割込処理と，を実行することを特徴とする。
【０００８】
このような画像形成装置は，画像形成中に，移動通信端末と第１の通信を行った場合，当該移動通信端末と第２の通信を行う場合に用いる通信情報を受信する。そのため，画像形成装置は，通信情報が事前に登録されていなくても，第１の通信部を制御することにより検出された移動通信端末との間で，第２の通信を行うことが可能になる。そして，画像形成装置は，先行するジョブの完了後，第２の通信によって完了通知を，第２通信部を制御して，第１の通信にて検出された移動通信端末に対して送信する。そのため，完了通知を受信した移動通信端末を所有するユーザは，画像形成装置が利用可能になったことを把握できる。さらに，画像形成装置は，完了通知の送信後，操作部からのジョブの実行命令の入力操作を受け付ける。そして，ジョブの実行命令が入力されると，画像形成装置は，ジョブを実行する。一方で，画像形成装置は，完了通知の送信後から，ジョブの実行命令の入力操作を受け付けるまでの間に受け付けた受付済みジョブを直ぐには実行せず，待機させる。そのため，完了通知を受信した移動通信端末を所有するユーザは，受付済みジョブの入力操作を行ったユーザより，画像形成装置を優先的に利用できる。
【０００９】
上記装置の機能を実現するための制御方法，コンピュータプログラム，および当該コンピュータプログラムを格納するコンピュータにて読取可能な記憶媒体も，新規で有用である。
【発明の効果】
【００１０】
本発明によれば，画像形成装置から移動通信端末に対してジョブの完了を通知する場合に，ユーザの事前の手間を少なくし，通知を受信した移動通信端末のユーザが画像形成装置を利用し易い技術が実現される。
【図面の簡単な説明】
【００１１】
【図１】本発明の第１実施形態に係る画像形成装置のブロック図である。
【図２】画像形成装置の外観斜視図である。
【図３】移動通信端末のブロック図である。
【図４】完了通知画面の一例を示す図である。
【図５】完了通知送信処理の手順を示すシーケンス図である。
【図６】ジョブ完了通知制御の手順を示すフローチャートである。
【図７】ジョブ蓄積処理の手順を示すフローチャートである。
【図８】本発明の第２実施形態に係る画像形成装置により実行される完了通知処理の手順を示すフローチャートである。
【発明を実施するための形態】
【００１２】
（第１実施形態）
以下，第１実施形態にかかる装置について，添付図面を参照しつつ詳細に説明する。本形態は，読取機能および印刷機能を有する複合機（ＭＦＰ：Multi Function Peripheral）に本発明を適用したものである。
【００１３】
［ＭＦＰの構成］
図１に示すように，本形態のＭＦＰ２００は，複数の外部機器３０１とネットワークを介して通信可能に接続される。外部機器３０１としては，例えば，サーバ，パーソナルコンピュータ（パソコン），プリンタ，複合機などがある。また，ＭＦＰ２００は，移動通信端末１００と無線通信接続される。移動通信端末１００は，ユーザが持ち歩くことができるデバイスである。移動通信端末１００としては，例えば，スマートフォンが該当する。
【００１４】
ＭＦＰ２００は，ＣＰＵ３１と，ＲＯＭ３２と，ＲＡＭ３３と，ＮＶＲＡＭ（Non Volatile RAM）３４とを備えたコントローラ３０を備えている。また，コントローラ３０は，用紙に画像を印刷する画像形成部１０と，原稿の画像を読み取る画像読取部１１と，動作状況の表示やユーザによる入力操作の受付を行う操作パネル４０と，ＮＦＣインターフェイス３７と，無線ＬＡＮインターフェイス３８と，ネットワークインターフェイス３９に接続されている。ＲＡＭ３３は，記憶部の一例である。ＮＦＣインターフェイス３７は，第１通信部の一例である。無線ＬＡＮインターフェイス３８は，第２通信部の一例である。
【００１５】
コントローラ３０は，ＣＰＵ３１等，プリンタの制御に利用されるハードウェアを纏めた総称であって，実際にプリンタに存在する単一のハードウェアを表すとは限らない。ＣＰＵ３１は，制御部の一例である。なお，コントローラ３０が制御部であってもよい。
【００１６】
画像形成部１０は，カラー印刷が可能であってもモノクロ印刷のみが可能であってもよい。本形態では，カラー印刷が可能なものとする。また，印刷方式についても，電子写真方式であってもインクジェット方式であってもよい。また，画像読取部１１は，カラースキャンが可能であってもモノクロスキャンのみが可能であってもよい。本形態では，カラースキャンが可能なものとする。また，読取機構についても，ＣＣＤであってもＣＩＳであってもよい。
【００１７】
ＲＯＭ３２には，ＭＦＰ２００を制御するための制御プログラムであるファームウェアや各種設定，初期値等が記憶されている。ＲＡＭ３３およびＮＶＲＡＭ３４は，各種制御プログラムが読み出される作業領域として，あるいはデータを一時的に記憶する記憶領域として利用される。
【００１８】
ＣＰＵ３１は，ＲＯＭ３２から読み出した制御プログラムや各種センサから送られる信号に従って，その処理結果をＲＡＭ３３またはＮＶＲＡＭ３４に記憶させながら，ＭＦＰ２００の各構成要素を制御する。
【００１９】
ＮＦＣインターフェイス３７は，ＩＳＯ／ＩＥＣ２１４８１またはＩＳＯ／ＩＥＣ１８０９２の国際標準規格に基づいて，ＮＦＣ（Near Field Communication）方式の無線通信を可能にするインターフェイスである。ＭＦＰ２００は，ＮＦＣインターフェイス３７を介して外部装置から送信されるデータを受信する。さらに，ＭＦＰ２００は，ＮＦＣインターフェイス３７を介して外部装置にデータを送信する。
【００２０】
無線ＬＡＮインターフェイス３８は，ＩＥＥＥの８０２．１１の規格およびそれに準ずる規格に基づいて，ＷｉＦｉダイレクト方式（ＷＦＤ方式）の無線通信を可能にするインターフェイスである。ＮＦＣ方式とＷＦＤ方式とでは，通信方式（すなわち無線通信の規格）が異なり，ＷＦＤ方式の方がＮＦＣ方式よりも通信距離が長く通信速度も速い。ＭＦＰ２００は，無線ＬＡＮインターフェイス３８を介して外部装置から送信されるデータを受信する。さらに，ＭＦＰ２００は，無線ＬＡＮインターフェイス３８を介して外部装置にデータを送信する。
【００２１】
なお，ＷＦＤ方式は，ネットワークを管理するグループオーナー機器と，クライアント機器とでネットワークを構築し，そのネットワーク内でデータの受け渡しを可能にする通信方式である。そのため，無線ＬＡＮインターフェイス３８を介して外部装置とデータ通信を行うには，当該外部装置と無線通信を確立させ，ＷＦＤネットワークを構築する必要がある。本形態では，ＭＦＰ２００がＷＦＤネットワークを構築する際のグループオーナー機器になり，移動通信端末１００がクライアント機器になる。クライアント機器は移動通信端末１００のみに限るものではなく，他のデバイスもクライアント機器としてＷＦＤネットワークに属することが可能である。
【００２２】
ＭＦＰ２００は，クライアント機器とＷＦＤ方式による無線通信を確立させるための接続情報を記憶しておらず，ＮＦＣインターフェイス３７を介して接続情報を移動通信端末１００から受信するようにしている。尚，接続情報としては，例えば，ＷＦＤネットワークを識別するための識別子であるＳＳＩＤ（Service Set IDentifier）やパスワードが該当する。
【００２３】
ネットワークインターフェイス３９は，ＬＡＮケーブルを介して接続された装置と通信を行うためのハードウェアである。ＭＦＰ２００は，ネットワークインターフェイス３９がネットワークを介して複数の外部機器３０１に接続されている。
【００２４】
図２に示すように，操作パネル４０は，ユーザによる入力操作を受け付ける各種のボタンから構成される入力部４１と，メッセージや設定内容を表示する液晶ディスプレイ４２とを有している。各種のボタンとしては，例えば，画像処理の開始を指示するＯＫボタンや，画像処理のキャンセルを指示するキャンセルボタンがある。また，ＭＦＰ２００は，各種のボタンを液晶ディスプレイ４２に表示させ，押下された位置に基づいて各種の指示を受け付けても良い。入力部４１は操作部の一例になる。尚，液晶ディスプレイ４２がタッチパネルの場合には，液晶ディスプレイ４２が操作部の一例になる。
【００２５】
また，図２に示すように，操作パネル４０は，ＮＦＣ方式による無線通信を受け付けるＮＦＣ読取部４３を有している。ＮＦＣ読取部４３には，図１に示すＮＦＣインターフェイス３７が設けられている。ＭＦＰ２００は，電源オンの間，ＮＦＣインターフェイス３７から発せられる信号によって，ＮＦＣ方式の無線通信が実行可能なデバイスを検出する状態になっている。そのため，例えば，ユーザが移動通信端末１００をＮＦＣ読取部４３にかざすと，ＭＦＰ２００は移動通信端末１００を検出し，移動通信端末１００とＭＦＰ２００との間でＮＦＣ方式による無線通信が自動的に可能になる。なお，移動通信端末１００をＮＦＣ読取部４３に「かざす」とは，移動通信端末１００をＮＦＣインターフェイス３７の通信範囲内に配置する動作であり，移動通信端末１００とＮＦＣ読取部４３とが接触していてもいなくてもよい。
【００２６】
［移動通信端末の構成］
続いて，移動通信端末１００の概略構成について，図３を参照して説明する。移動通信端末１００は，ＣＰＵ５１と，ＲＯＭ５２と，ＲＡＭ５３と，ＨＤＤ５４とを有するコントローラ５０を備えている。また，移動通信端末１００は，表示機能と入力機能とを兼ねるタッチパネル５５と，外部装置との通信を可能にする通信インターフェイスとしてＮＦＣインターフェイス５７と，無線ＬＡＮインターフェイス５８とを有し，これらがコントローラ５０によって制御される。
【００２７】
移動通信端末１００のＨＤＤ５４には，ＯＳや，インターネット上のファイルを閲覧するためのブラウザ，各種のデバイスを制御するデバイスドライバ等が組み込まれている。また，ＭＦＰ２００から先行ジョブの完了を通知するジョブを受け付けるアプリケーションプログラム２０（以下「アプリ２０」という）もＨＤＤ５４に記憶されている。
【００２８】
このアプリ２０は，移動通信端末１００がタッチパネルを介しての起動指示の入力を受け付けた場合に，ＣＰＵ５１によって起動される。アプリ２０は，移動通信端末１００がＭＦＰ２００から完了通知を受信すると，例えば，図４に示す完了通知画面６０をタッチパネル５５に表示させる。
【００２９】
ＣＰＵ５１は，ＲＯＭ５２から読み出した制御プログラムやＨＤＤ５４から読み出したプログラムに従って，その演算結果をＲＡＭ５３またはＨＤＤ５４に記憶させながら各種の処理を行う。上述したアプリ２０の動作も，ＣＰＵ５１によって処理される。
【００３０】
ＮＦＣインターフェイス５７は，ＭＦＰ２００のＮＦＣインターフェイス３７と同様に，ＮＦＣ方式の無線通信を可能にするインターフェイスである。また，無線ＬＡＮインターフェイス５８は，ＭＦＰ２００の無線ＬＡＮインターフェイス３８と同様に，ＷＦＤ方式の無線通信を可能にするインターフェイスである。移動通信端末１００は，ＮＦＣインターフェイス５７あるいは無線ＬＡＮインターフェイス５８を介して外部装置から送信されるデータを受信する。さらに，移動通信端末１００は，ＮＦＣインターフェイス５７あるいは無線ＬＡＮインターフェイス５８を介して外部装置にデータを送信する。
【００３１】
［完了通知の概要］
続いて，ＭＦＰ２００がジョブの完了を通知する概要について，図５に示すシーケンス図を参照して説明する。
【００３２】
ＭＦＰ２００は，例えば，ユーザＸのパソコンＸ１から画像データＸ３を印刷する印字命令Ｘ２を受信すると，画像形成部１０を制御して画像データＸ３の印刷を実行する。ユーザＡは，ＭＦＰ２００の印刷中に，原稿をコピーするためにＭＦＰ２００の設置場所に来ても，コピーを実行できない。また，ユーザＡは，例えばその場でＭＦＰ２００の印刷が終わるのを待とうにも，例えば，画像データＸ３に含まれる原稿の枚数が何百枚もある場合や，印字命令Ｘ２のジョブと別のジョブがＭＦＰ２００に蓄積されている場合などには，いつコピーを実行できるか分からない。そこで，ユーザＡは，先行するジョブが完了したことを知らせる完了通知を，所有する移動通信端末１００が受信するために，自分の移動通信端末１００をＭＦＰ２００にかざす。
【００３３】
すると，ユーザＡが所有する移動通信端末１００は，ＮＦＣ方式により，ＭＦＰ２００にハンドオーバー接続要求を送信する。ＭＦＰ２００は，受付時刻を記憶したら，ユーザＡが所有する移動通信端末１００から受信した接続情報に基づいて，当該移動通信端末１００との間でＷＦＤ方式の通信を確立させる。
【００３４】
画像データＸ３の印刷が終了すると，ＭＦＰ２００は，ＷＦＤ方式の通信により，ユーザＡが所有する移動通信端末１００に完了通知を送信する。ユーザＡの移動通信端末１００は，アプリ２０により，図４に示す完了通知画面６０を表示する。よって，ユーザＡは，ＭＦＰ２００から離れた場所にいても，移動通信端末１００に表示される完了通知画面６０を確認することにより，先行するジョブが終了したことを認識できる。
【００３５】
ジョブの完了通知を受信したユーザＡは，ＭＦＰ２００の位置に戻ってＭＦＰ２００に対して操作パネル４０を用いてコピーを実行する。このとき，例えば，ＭＦＰ２００は，受付時刻より後であって，コピージョブの実行前に，ユーザＹのパソコンＹ１から画像データＹ３の印刷を実行する印字命令Ｙ２を受け付けていた場合には，印字命令Ｙ２を直ぐには実行せず，待機状態にする。そのため，ユーザＡは，自分のコピージョブをユーザＸの印字命令Ｘ２とユーザＹの印字命令Ｙ２との間に割り込ませることができ，ユーザＹより優先して，ＭＦＰ２００にコピーを実行させることができる。
【００３６】
ＭＦＰ２００は，ユーザＡのコピーが終了すると，ＷＦＤ方式の通信を切断する。これにより，他のユーザが，ＭＦＰ２００を使用できるようになる。その後，ＭＦＰ２００は，待機している印字命令Ｙ２のジョブを実行し，画像データＹ３の印刷を開始する。
【００３７】
［完了通知送信処理の制御手順］
続いて，上述した完了通知を実現する完了通知送信処理の手順を，図６のフローチャートを参照しながら説明する。この完了通知送信処理は，ＣＰＵ３１が，印字命令を受信したことを契機に，ＣＰＵ３１にて実行される。
【００３８】
ＣＰＵ３１は，ネットワークインターフェイス３９を制御して，印字命令にかかるジョブの受信が完了するまで待機している（Ｓ１：ＮＯ）。ＣＰＵ３１は，ジョブの受信が完了すると（Ｓ１：ＹＥＳ），画像形成部１０を制御して，受信したジョブの画像形成を開始する（Ｓ２）。
【００３９】
そして，ＣＰＵ３１は，ＮＦＣインターフェイス３７を制御して，ＮＦＣ方式により移動通信端末１００を検出したか否かを判断する（Ｓ３）。Ｓ３の処理は，検出処理の一例になる。ＣＰＵ３１は，ＮＦＣ読取部４３の通信範囲内にある移動通信端末１００とＮＦＣ方式の通信を確立させることにより，移動通信端末１００を検出できる。よって，ＭＦＰ１００は，ＮＦＣ読取部４３にかざされた移動通信端末１００を検出する。
【００４０】
ＣＰＵ３１は，ＮＦＣ方式により移動通信端末１００を検出していない場合には（Ｓ３：ＮＯ），Ｓ４に進む。
【００４１】
一方，ＣＰＵ３１は，ＮＦＣ方式により移動通信端末１００を検出したと判断した場合には（Ｓ３：ＹＥＳ），識別情報を記憶する（Ｓ１２）。Ｓ１２の処理は，第１識別受信処理の一例である。つまり，アプリ２０を起動させた移動通信端末１００がＮＦＣ読取部４３にかざされると，ＣＰＵ３１は，ＮＦＣインターフェイス３７を制御して，当該移動通信端末１００又は当該移動通信端末１００を所有するユーザを識別するための情報である識別情報を，当該移動通信端末１００から自動的に受信し，ＲＡＭ３３に記憶する。
【００４２】
ＣＰＵ３１は，識別情報を取得したら，移動通信端末１００を検出した時刻を，受付時刻として，ＲＡＭ３３に記憶する（Ｓ１３）。Ｓ１３の処理は，時刻記憶処理の一例になる。これにより，ＭＦＰ２００は，当該移動通信端末１００の使用者によるジョブと異なるジョブを受け付けた場合に，そのジョブが，割り込み予約をしたジョブの前のジョブか，後のジョブかを判断する基準が設けられる。
【００４３】
そして，ＣＰＵ３１は，通知機能がオンであることを示す情報をＲＡＭ３３に記憶する（Ｓ１４）。Ｓ１４の処理は，通知設定処理の一例になる。これにより，ＣＰＵ３１は，ＮＦＣ方式で検出した移動通信端末１００に対して，ジョブが完了したことを知らせる完了通知を送信する機能である通知機能が有効になる。
【００４４】
その後，ＣＰＵ３１は，ＮＦＣインターフェイス３７を制御して検出した移動通信端末１００から，ＷＦＤ方式による通信の確立に用いる接続情報を，ＮＦＣ方式の通信を介して受信する（Ｓ１５）。Ｓ１５の処理は，通信情報受信処理の一例になる。そして，ＣＰＵ３１は，無線ＬＡＮインターフェイス３８を制御して，無線通信接続を行う（Ｓ１６）。よって，ＣＰＵ３１は，Ｓ１３において取得した接続情報を用いて，ＷｉＦｉ接続する。これにより，ＭＦＰ１００は，検出した移動通信端末１００の接続情報が事前に登録されていなくても，検出した移動通信端末１００に完了通知を送信できるようになる。
【００４５】
それから，ＣＰＵ３１は，受付時刻より前に記憶した全ジョブを実行したか否かを判断する（Ｓ４）。受付時刻より前に記憶した全ジョブを実行していない場合には（Ｓ４：ＮＯ），ＣＰＵ３１は，ネットワークインターフェイス３９を制御して，ジョブを受信したか否かを判断する（Ｓ１７）。ＭＦＰ２００が，複数の外部機器３０１とネットワークを構築する場合，画像形成中のジョブと別のジョブを受け付ける可能性があるからである。ＣＰＵ３１は，別のジョブを受信していない場合には（Ｓ１７：ＮＯ），Ｓ２に戻って，ＮＦＣインターフェイス３７を制御して，移動通信端末１００の検出を行う。
【００４６】
これに対して，ＣＰＵ３１は，別のジョブを受信した場合には（Ｓ１７：ＹＥＳ），ジョブ蓄積処理を実行する（Ｓ１８）。Ｓ１８の処理は，待機処理の一例になる。ジョブ蓄積処理の制御の手順を，図７を参照して説明する。
【００４７】
ＣＰＵ３１は，受信したジョブをＲＡＭ３３に蓄積して記憶する（Ｓ３１）。そして，ＣＰＵ３１は，Ｓ３１にてジョブをＲＡＭ３３に記憶した時刻を，記憶時刻として決定する（Ｓ３２）。そして，ＣＰＵ３１は，図６のＳ１１においてＲＡＭ３３に記憶させた受付時刻の方が，Ｓ３２において決定した記憶時刻より，先か否かを判断する（Ｓ３３）。つまり，ＣＰＵ３１は，受信したジョブが，受付時刻より前に受信したものか，受付時刻より後に受信したものかを判断する。
【００４８】
ＣＰＵ３１は，受付時刻の方が記憶時刻より先でない場合には（Ｓ３３：ＮＯ），そのまま図６のＳ２に戻る。つまり，ＣＰＵ３１は，受付時刻より先に受信したジョブの印刷を行う。
【００４９】
一方，ＣＰＵ３１は，受付時刻の方が記憶時刻より先である場合には（Ｓ３３：ＹＥＳ），受信したジョブを待機ジョブに登録した後（Ｓ３４），図６のＳ２に戻る。待機ジョブは，受付済みのジョブの一例である。つまり，ＣＰＵ３１は，受信時刻後に受信したジョブの前に，完了通知の予約をしたユーザのジョブを割り込ませるために，受付時刻後に受信したジョブを直ぐに実行せずに，待機状態にする。
【００５０】
図６の説明に戻り，ＣＰＵ３１は，受付時刻より前に記憶した全ジョブを実行すると（Ｓ４：ＹＥＳ），ＲＡＭ３３から通知機能に関する情報を読み出し，読み出した情報が，通知機能がオンであることを示す情報であるか否かを判断する（Ｓ５）。Ｓ５の処理は，判断処理の一例になる。つまり，ＣＰＵ３１は，受付時刻より前に記憶した全ジョブを実行してから，通知機能が有効か否か判断する。これにより，受付時刻より先に受け付けられたジョブのユーザが，ジョブの割り込みによって不利益を受けないようにすることができる。通知機能がオンされていない場合には（Ｓ５：ＮＯ），完了通知を送信せずに，Ｓ１０に進む。
【００５１】
一方，ＣＰＵ３１は，通知機能がオンされている場合には（Ｓ５：ＹＥＳ），無線ＬＡＮインターフェイス３８を制御して，ＷｉＦｉ接続先となる移動通信端末１００にジョブの完了通知を送信する（Ｓ６）。Ｓ６の処理は，通知処理の一例になる。移動通信端末１００は，アプリ２０により，ＭＦＰ２００からジョブの完了通知を受信すると，完了通知画面６０（図４参照）が表示される。尚，完了通知画面６０には，アラームやバイブレータなどの通知を，適用しても良い。つまり，ユーザは，自分の移動通信端末１００の接続情報を事前にＭＦＰ２００に登録しなくても，移動通信端末１００をＭＦＰ２００にかざすだけで，ジョブの完了通知を受信できる。
【００５２】
ＣＰＵ３１は，完了通知の送信が完了すると，ＲＡＭ３３に，通知機能がオフであることを示す情報を記憶する（Ｓ７）。これにより，完了通知を送信する通知機能が無効になる。
【００５３】
その後，ＣＰＵ３１は，完了通知を送信してから所定時間が経過したか否かを判断する（Ｓ８）。つまり，ＣＰＵ３１は，完了通知を送信してから所定時間にわたって，コピージョブが実行されない場合には，自動的に待機状態を終了し，他のユーザがＭＦＰ２００を利用できるようにする。これにより，長時間にわたって入力部４１を介してジョブの実行命令の入力操作が行われない場合に，受付時刻後にＭＦＰ２００が受信したジョブのユーザ等，他のユーザがＭＦＰ２００を利用できない期間が長くなることを回避できる。
【００５４】
ＣＰＵ３１は，完了通知を送信してから所定時間が経過していない場合には（Ｓ８：ＮＯ），ＮＦＣインターフェイス３７を制御して，ＮＦＣ方式により，完了通知を送信してから所定時間内に移動通信端末１００を検出したか否かを判断する（Ｓ１９）。Ｓ１９の処理は，通知後検出処理の一例である。Ｓ１９の処理は，Ｓ３の処理と同様である。
【００５５】
ＮＦＣ方式の通信により移動通信端末１００を検出していない場合には（Ｓ１９：ＮＯ），ＣＰＵ３１は，ジョブを受信したか否かを判断する（Ｓ２４）。ジョブを受信していない場合には（Ｓ２４：ＮＯ），ＣＰＵ３１は，Ｓ８に戻る。一方，ＣＰＵ３１は，ジョブを受信した場合には（Ｓ２４：ＹＥＳ），ジョブ蓄積処理を実行した後（Ｓ２５），Ｓ８に戻る。Ｓ２５の処理は，待機処理の一例になる。Ｓ２５の処理は，Ｓ１８と同様なので，説明を省略する。これにより，ＣＰＵ３１は，完了通知を送信した後でも，受付時刻後に受信したジョブを待機状態にする。
【００５６】
一方，ＮＦＣ方式の通信により移動通信端末１００を検出した場合には（Ｓ１９：ＹＥＳ），ＣＰＵ３１は，検出した移動通信端末１００又は検出した移動通信端末１００の所有者を識別する識別情報を，ＮＦＣインターフェイス３７を介して自動的に受信する（Ｓ２０）。Ｓ２０の処理は，第２識別受信処理の一例になる。
【００５７】
識別情報を受信したＣＰＵ３１は，Ｓ２０にて受信した識別情報と，Ｓ１２にて取得した識別情報とが一致するか否かを判断する（Ｓ２１）。
【００５８】
識別情報が一致していない場合には（Ｓ２１：ＮＯ），コピージョブを実行することなく，Ｓ２４に進む。この場合，検出した移動通信端末１００を所有するユーザは，完了通知を送信したユーザと異なる別ユーザである可能性が高く，別ユーザによるコピージョブを実行してしまうと，完了通知を送信したユーザが，ＭＦＰ２００に戻ってきても，コピージョブをできないという不利益を受ける恐れがあるからである。つまり，完了通知を送信する意味が無くなってしまうからである。
【００５９】
一方，識別情報が一致する場合には（Ｓ２１：ＹＥＳ），ＣＰＵ３１は，コピー命令の入力があるか否かを判断する（Ｓ２２）。つまり，ＣＰＵ３１は，操作パネル４０の入力部４１を介して，コピーの実行命令の入力操作を受け付けたか否かを判断する。
【００６０】
ＣＰＵ３１は，コピー命令の入力がない場合には（Ｓ２２：ＮＯ），コピー命令の入力があるまで待つ。
【００６１】
これに対して，ＣＰＵ３１は，完了通知を送信してから所定時間が経過する前に，コピー命令の入力があった場合には（Ｓ２２：ＹＥＳ），コピージョブを実行する（Ｓ２３）。Ｓ２３の処理は，ジョブ割込処理の一例になる。つまり，ＣＰＵ３１は，Ｓ２２にてコピーの実行命令の入力を受け付けていることから，画像読取部１１を制御して原稿の読み取りを行う。そして，ＣＰＵ３１は，画像形成部１０を制御して，画像読取部１１により読み取った原稿の画像データに基づく画像形成を行う。
【００６２】
これにより，完了通知を受信したユーザは，完了通知を受信してから所定時間内にユーザ照合してコピージョブを実行すれば，直ぐにＭＦＰ２００を利用できる。また，当該ユーザは，受付時刻前にＭＦＰ２００に受信されたジョブと，受付時刻後にＭＦＰ２００に受信されたジョブとの間に，自分のコピージョブを割り込ませて実行することができる。そのため，当該ユーザは，先行するジョブが完了するのをＭＦＰ２００の前で待ち続けたり，ＭＦＰ２００から一旦離れた後，ＭＦＰ２００に戻ってきたときに，自分のコピージョブを実行できなかったりする不利益を回避できる。
【００６３】
コピージョブを完了したＣＰＵ３１は，無線ＬＡＮインターフェイス３８を制御して，完了通知を送信した移動通信端末１００との無線通信接続を切断する（Ｓ９）。これにより，ＭＦＰ２００は，他の移動通信端末と，ＷＦＤ方式を用いた通信を行うことが可能になる。
【００６４】
無線通信接続を切断したＣＰＵ３１は，待機ジョブがあるか否かを判断する（Ｓ１０）。つまり，ＣＰＵ３１は，ＲＡＭ３３に，待機ジョブとして登録されたジョブがあるがあるか否かを判断する。待機ジョブがない場合には（Ｓ１０：ＮＯ），完了通知送信処理を終了する。一方，待機ジョブがある場合には（Ｓ１０：ＹＥＳ），ＣＰＵ３１は，待機ジョブとしてＲＡＭ３３に登録されたジョブを実行する（Ｓ１１）。つまり，ＣＰＵ３１は，待機ジョブとして登録されたジョブの前に割り込ませたコピージョブが終了すると，自動的に待機ジョブの待機状態を終了し，他のユーザがＭＦＰ２００を利用できるようにする。待機ジョブを実行したＣＰＵ３１は，完了通知送信処理を終了する。
【００６５】
尚，ＣＰＵ３１は，完了通知を送信してから所定時間が経過しても，完了通知を送信した移動通信端末を検出せず，コピー命令が入力されない場合には（Ｓ８：ＹＥＳ），無線ＬＡＮインターフェイス３８を制御して，完了通知を送信した移動通信端末との無線通信接続を切断する（Ｓ９）。そして，ＣＰＵ３１は，上記と同様に，Ｓ１０，Ｓ１１の処理を実行する。長時間にわたってコピーの実行命令の入力操作が行われない場合，ＲＡＭ３３に待機ジョブとして登録されたジョブのユーザ等，他のユーザがＭＦＰ２００を利用できない期間が長くなる。そこで，ＣＰＵ３１は，コピー命令の入力操作を受け付けない状態で，ジョブの完了通知を送信してから所定時間が経過した後は，待機ジョブがあれば，その待機ジョブを実行する。つまり，ＣＰＵ３１は，受付時刻より後に受信したジョブを待機させる処理を終了し，他のユーザがＭＦＰ２００を利用できるようにする。
【００６６】
以上説明したように，ＭＦＰ２００は，画像形成中に，移動通信端末１００とＮＦＣ方式を用いた通信を行った場合，当該移動通信端末１００とＷＦＤ方式を用いた通信を行う場合に用いる接続情報を受信する。そのため，ＭＦＰ２００は，接続情報が事前に登録されていなくても，ＮＦＣインターフェイス３７を制御することにより検出された移動通信端末１００と，ＷＦＤ方式を用いた通信を行うことが可能になる。そして，ＭＦＰ２００は，先行するジョブの完了後，ＷＦＤ方式を用いた通信によって完了通知を，無線ＬＡＮインターフェイス３８を制御して，ＮＦＣ方式を用いた通信にて検出された移動通信端末１００に対して送信する。そのため，完了通知を受信した移動通信端末１００を所有するユーザは，ＭＦＰ２００が利用可能になったことを，ＭＦＰ２００から離れた場所にいても把握できる。さらに，ＭＦＰ２００は，完了通知の送信後，入力部４１からのコピージョブの実行命令の入力操作を受け付ける。そして，コピーの実行命令が入力されると，ＭＦＰ２００は，コピーを実行する。一方で，ＭＦＰ２００は，完了通知の送信後から，入力部４１からのコピージョブの実行命令の入力操作を受け付けるまでの間に受け付けた受付済みジョブを，一定期間の間，待機させる。そのため，完了通知を受信した移動通信端末１００を所有するユーザは，受付済みジョブの入力操作を行ったユーザより，画像形成装置を優先的に利用できる。
【００６７】
（第２実施形態）
続いて，第２実施形態にかかる装置について，添付図面を参照しつつ詳細に説明する。本形態も，ＭＦＰ２００に本発明を適用したものである。第２実施形態のＭＦＰ２００は，完了通知送信処理の制御の手順を除き，第１実施形態と構成が共通している。そこで，ここでは，完了通知送信処理の制御手順における相違点を中心に説明し，第１実施形態と共通するハード構成及び制御手順については，第１実施形態と同じ符号を図面及び説明に使用し，説明を適宜省略する。
【００６８】
本形態の完了通知送信処理の手順を，図８のフローチャートを参照しながら説明する。図８に示す完了通知送信処理は，印字命令を受信したことを契機に，ＣＰＵ３１にて実行される。図８のフローチャートに示す制御の手順では，主に，ＭＦＰ２００が完了通知を電子メールにより送信する点と，セキュアジョブを割り込み予約の対象にしている点が，図６のフローチャートに示す制御の手順と相違している。尚，本形態では，ネットワークインターフェイス３９が，第２通信部の一例になる。
【００６９】
すなわち，ＣＰＵ３１は，ジョブの受信を完了した後（Ｓ１：ＹＥＳ），画像形成する間に（Ｓ２），移動通信端末１００がＮＦＣ読取部４３にかざされると（Ｓ３：ＹＥＳ），識別情報を取得する（Ｓ１２）。そして，受付時刻を記憶して（Ｓ１３），通知機能がオンに設定されると（Ｓ１４），ＣＰＵ３１は，電子メールアドレスを取得する（Ｓ３１）。Ｓ３１の処理は，通信情報受信処理の一例である。ＣＰＵ３１は，ＮＦＣインターフェイス３７を制御して，ＮＦＣ読取部４３にかざされた移動通信端末１００から，当該移動通信端末１００が有する電子メールアドレスを受信し，ＲＡＭ３３に記憶させる。
【００７０】
ＣＰＵ３１は，受付時刻前に記憶した全ジョブを実行し（Ｓ４：ＹＥＳ），通知機能をオンに設定すると（Ｓ５），ネットワークインターフェイス３９を制御して，Ｓ３１にてＲＡＭ３３に記憶した電子メールアドレスを宛先にしてジョブの完了通知を送信する（Ｓ３２）。Ｓ３２の処理は，通知処理の一例である。よって，ユーザは，自分の移動通信端末１００の電子メールアドレスを事前にＭＦＰ２００に登録していなくても，自分の移動通信端末１００をＮＦＣ読取部４３にかざすだけで，完了通知を受信できる。
【００７１】
ＣＰＵ３１は，完了通知を送信した後，所定時間が経過するまでの間に，完了通知を受信したユーザの移動通信端末１００がＮＦＣ読取部４３にかざされた場合には（Ｓ８：ＮＯ，Ｓ１９：ＹＥＳ，Ｓ２０，Ｓ２１：ＹＥＳ），セキュアジョブ命令の入力がされたか否かを判断する（Ｓ３３）。つまり，ＣＰＵ３１は，操作パネル４０の入力部４１を介して，ジョブの選択と，パスワードの入力と，印刷実行命令の入力が行われたか否かを判断する。
【００７２】
ＣＰＵ３１は，セキュアジョブの実行命令の入力がない場合には（Ｓ３３：ＮＯ），セキュアジョブの実行命令の入力があるまで待つ。
【００７３】
これに対して，ＣＰＵ３１は，完了通知を送信してから所定時間が経過する前に，セキュアジョブの実行命令の入力があった場合には（Ｓ３３：ＹＥＳ），セキュアジョブを実行する（Ｓ３４）。Ｓ３４の処理は，ジョブ割込処理の一例になる。つまり，ＣＰＵ３１は，Ｓ３３にてセキュアジョブの実行命令の入力を受け付けていることから，ＲＡＭ３３に実行されることなく蓄積されたセキュアジョブを，ＲＡＭ３３から読み出す。そして，ＣＰＵ３１は，画像形成部１０を制御して，セキュアジョブに含まれる画像データに基づく画像形成を行う。
【００７４】
以上詳細に説明したように，第２実施形態のＭＦＰ２００は，画像形成中に，移動通信端末１００とＮＦＣ方式を用いた通信を行った場合，当該移動通信端末１００が有する電子メールアドレスを受信する。そのため，ＭＦＰ２００は，電子メールアドレスが事前に登録されていなくても，ネットワークインターフェイス３９を介して，ＮＦＣ方式の通信により検出した移動通信端末１００に電子メールを送信することが可能になる。そして，ＭＦＰ２００は，先行するジョブの完了後，電子メールによって完了通知を，ＮＦＣ方式の通信にて検出された移動通信端末１００に対して，ネットワーク経由で送信する。これにより，完了通知を受信した移動通信端末１００を所有するユーザは，ＭＦＰ２００が利用可能になったことを把握できる。さらに，ＭＦＰ２００は，完了通知の送信後，受付時刻後に受け付けた他のジョブを待機させ，入力部４１からのセキュアジョブの実行命令の入力操作を受け付ける。そして，セキュアジョブの実行命令が入力されると，ＭＦＰ２００は，セキュアジョブを実行する。一方で，ＭＦＰ２００は，完了通知の送信後から，セキュアジョブの実行命令の入力操作を受け付けるまでの間に受け付けたジョブを直ぐには実行せず，待機させる。そのため，完了通知を受信した移動通信端末１００を所有するユーザは，ＭＦＰ２００を，受付時刻後に他のジョブをＭＦＰ２００に入力したユーザより，優先的に利用して，セキュアジョブを実行できる。
【００７５】
なお，本実施の形態は単なる例示にすぎず，本発明を何ら限定するものではない。したがって本発明は当然に，その要旨を逸脱しない範囲内で種々の改良，変形が可能である。上記形態の制御は，ＭＦＰの他，コピー機やプリンタ，ＦＡＸ装置等に適用しても良い。
【００７６】
例えば，上記実施形態では，割り込ませたジョブの完了後に，待機処理を自動的に解除した（図６及び図８のＳ１０，Ｓ１１）。これに対して，ユーザが，自分のパソコンや移動通信端末１００からＭＦＰ２００に，待機処理の解除命令を入力操作できるようにしてもよい。これによれば，たとえば，ユーザが，ジョブの完了通知を受信しても，会議等があって，すぐにＭＦＰ２００へ行ってジョブを実行させることができない場合に，待機処理の解除命令を入力することにより，他のユーザがＭＦＰ２００を使用できない期間を短縮できる。
【００７７】
例えば，割り込ませるジョブは，複数あっても良い。
【００７８】
例えば，完了通知の予約を複数受け付けても良い。この場合，受付時刻を予約毎に記憶し，予約をしたユーザのジョブを他のジョブの間にそれぞれ割り込ませるようにしても良い。
【００７９】
例えば，ＣＰＵ３１は，接続情報又は電子メールアドレスの両方を取得するようにしても良い。この場合，例えば，移動通信端末１００が接続情報を用いてＷｉＦｉ接続できない場合には，電子メールを利用して完了通知を移動通信端末１００に送信することが可能になる。
【００８０】
例えば，コピージョブを行うユーザの移動通信端末１００に完了通知を送信する場合には，完了通知を電子メールで送信しても良い。例えば，図６のＳ１５，Ｓ１６の処理を電子メールアドレスを受信して記憶する処理に変更し，Ｓ６の処理を，前述のように取得した電子メールアドレスを宛先にしてジョブの完了通知を送信する処理に変更しても良い。また，セキュアジョブを行うユーザに完了通知を送信する場合には，完了通知をＷｉＦｉ接続により通知するようにしても良い。例えば，図８のＳ３１に示す処理に変えて，接続情報を受信する処理をした後に，受信した接続情報に基づいて，ＮＦＣ方式の通信により検出した移動通信端末１００と無線通信接続する処理を行っても良い。そして，図８のＳ３２の処理を，ジョブの完了通知を無線通信接続により送信する処理に変更しても良い。
【００８１】
例えば，図６及び図８に示すＳ１２，Ｓ１９〜Ｓ２２に示す処理は，なくても良い。
【００８２】
例えば，図６及び図８に示すＳ８の処理をなくし，受付時刻後にＭＦＰ２００が受け付けたジョブを，コピージョブ又はセキュアジョブが実行されるまで待機させても良い。
【００８３】
例えば，図８に示すセキュアジョブの実行命令の入力操作には，パスワードの入力が含まれなくても良い。つまり，ジョブを選択して，ジョブの実行命令を入力するだけで，セキュアジョブを実行するようにしても良い。
【００８４】
例えば，認証情報は，ユーザが入力部４１を操作して手入力しても良い。
【００８５】
例えば，先行するジョブや待機ジョブは，パソコンから受信した印字命令のジョブだけなく，ＦＡＸの出力やコピー等であっても良い。
【００８６】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【００８７】
１０    画像形成部
１１    画像読取部
３１    ＣＰＵ
４１    入力部
３３    ＲＡＭ
３７    ＮＦＣインターフェイス
３８    無線ＬＡＮインターフェイス
３９    ネットワークインターフェイス
１００  移動通信端末
２００  ＭＦＰ
【図１】
2018122489.tif 000003
【図２】
2018122489.tif 000004
【図３】
2018122489.tif 000005
【図４】
2018122489.tif 000006
【図５】
2018122489.tif 000007
【図６】
2018122489.tif 000008
【図７】
2018122489.tif 000009
【図８】
2018122489.tif 000010